(57)【要約】【課題】色の観察において、観察角度を精度良く揃える。【解決手段】所定の試料の色を観察するための色見台２０は、記所定の試料を配置する試料台５１，５２と、試料台５１，５２の側に光を照射する光源４０と、試料台５１，５２における所定の試料の配置面に対して所定の角度の傾きを有する鏡面６２を備えるとともに、鏡面６２に第１のマーク６３を備え、試料台５１，５２と並んで設置されるミラー６０と、光源４０の光が鏡面６２に至る光路上に設けられ、鏡面６２上に射影される第２のマーク４１とを備える。【選択図】図１
2012211841.tif 000002
【特許請求の範囲】
【請求項１】
所定の試料の色を観察するための色見台であって、
前記所定の試料を配置する試料台と、
鏡面を備えるとともに該鏡面に第１のマークを備え、前記試料台と並んで設置されるミラーと、
前記試料台および前記鏡面に光を照射する光源と、
前記光源の光が前記鏡面に至る光路上に設けられた第２のマークと
を備え、
前記鏡面は、前記試料台における前記所定の試料の配置面に対して、前記試料台と前記ミラーとの並びの方向と交わる方向に所定の角度の傾きを有する
色見台。
【請求項２】
更に、前記所定の角度を調節可能な第１の調節手段を備えた請求項１記載の色見台。
【請求項３】
更に、前記調節手段によって調節された前記所定の角度に応じて、前記所定の試料に対して観察者の目線が交差する角度である観察角度を把握可能に表示する表示手段を備えた請求項２記載の色見台。
【請求項４】
前記第２のマークは、前記光源に付された請求項１ないし請求項３のいずれか記載の色見台。
【請求項５】
更に、前記光源から前記鏡面に至る光路上に設けられ、前記光源から前記鏡面に至る前記光の光量を低減する光量低減手段を備えた請求項１ないし請求項４のいずれか記載の色見台。
【請求項６】
請求項１ないし請求項５のいずれか記載の色見台であって、
前記ミラーは、前記色見台の筐体と別体で構成され、
更に、前記ミラーを前記色見台の予め定められた位置に設置するための位置決め手段を備えた
色見台。
【請求項７】
更に、前記光源の光が前記試料台および前記鏡面に向かう光路方向に対する前記試料台の配置面の傾きを調節可能な第２の調節手段を備えた請求項１ないし請求項６のいずれか記載の色見台。
【請求項８】
所定の試料の色を観察するための色見台の補助道具セットであって、
鏡面を備えるとともに、該鏡面に第１のマークを備えたミラーと、
前記色見台の光源に貼り付けるための第２のマークを備えたシートと
を備え、
前記鏡面は、前記ミラーを前記色見台に配置した状態において、前記所定の試料を配置する試料台における該所定の試料の配置面に対して所定の角度の傾きを有することが可能に構成された
色見台の補助道具セット。
【請求項９】
人が所定の試料の色を観察する色観察方法であって、
前記所定の試料と、前記所定の試料の配置面に対して所定の角度の傾きを有する鏡面を備えるとともに、該鏡面に第１のマークを備えたミラーとを、前記所定の角度の傾きと交わる方向に並べて配置し、
前記所定の試料を照射する光源の光が前記鏡面に至る光路上に設けられた第２のマークが、前記光源によって前記鏡面上に映し出された像と、前記第１のマークとが所定箇所で重なる目線の位置を特定し、
前記特定した目線の位置から、前記所定の試料の色を観察する
色観察方法。
【発明の詳細な説明】
【技術分野】
【０００１】
本発明は、所定の試料の色を観察するための技術に関する。
【背景技術】
【０００２】
所定の物、例えば、印刷物や塗装物の色を観察するための色見台が知られている。色見台は、試料台に観察対象物を配置した上で、光源からの光を観察対象物に照射し、観察対象物の色合いについて、観察者が目視確認を行う装置である。色見台では、一般的に、観察者の観察角度は制限されていない。観察者は、色見台の形状に応じた自由な方向から観察対象物を観察することができる。逆に言えば、かかる色見台では、観察角度の自由度が高い反面、観察者の観察角度を、複数の観察作業間で、あるいは、複数の観察者間で、厳密に揃えることが困難である。なお、観察角度は、観察対象物の観察面に対して目線が交差する角度である。
【０００３】
しかしながら、観察対象物によっては、観察者の観察角度を厳密に揃える必要がある。例えば、メタリック色やパール色については、観察角度によって、発色性が大きく異なることが知られている。したがって、メタリック色やパール色が付された観察対象物を目視評価する場合には、複数の観察機会間で、また、複数の観察者間で、観察角度を厳密に一定に揃える必要があるのである。上述した色見台では、観察者の観察角度を厳密に揃える要求に応えられなかった。
【先行技術文献】
【特許文献】
【０００４】
【特許文献１】特開２００５−２５４５４２号公報
【特許文献２】特開平６−５０８１８号公報
【非特許文献】
【０００５】
【非特許文献１】GTI Graphic Technology, Inc.、“PDV-2e/M MULTI-SOURCE PORTABLE DESKTOP VIEWER”、［online］、［平成２３年３月１１日検索］、インターネット〈ＵＲＬ：http://gtilite.com/desktop-viewing-systems-ca.html〉
【非特許文献２】GTI Graphic Technology, Inc.、“VPI/T VERTICAL PRODUCT INSPECTOR-TEXTILES”、［online］、［平成２３年３月１１日検索］、インターネット〈ＵＲＬ：http://gtilite.com/VPI-appearance.htm〉
【発明の概要】
【発明が解決しようとする課題】
【０００６】
上述の問題の少なくとも一部を踏まえ、本発明が解決しようとする課題は、色の観察において、複数の観察機会間での、あるいは、複数の観察者間での観察角度を精度良く揃えることである。
【課題を解決するための手段】
【０００７】
本発明は、上述の課題を解決するためになされたものであり、以下の形態又は適用例として実現することが可能である。
【０００８】
［適用例１］所定の試料の色を観察するための色見台であって、
前記所定の試料を配置する試料台と、
鏡面を備えるとともに該鏡面に第１のマークを備え、前記試料台と並んで設置されるミラーと、
前記試料台および前記鏡面に光を照射する光源と、
前記光源の光が前記鏡面に至る光路上に設けられた第２のマークと
を備え、
前記鏡面は、前記試料台における前記所定の試料の配置面に対して、前記試料台と前記ミラーとの並びの方向と交わる方向に所定の角度の傾きを有する
色見台。
【０００９】
かかる構成の色見台によれば、観察者は、鏡面を見ながら目線を移動させて、鏡面の第１のマークと、鏡面に映し出された第２のマークとが所定箇所で重なるように位置合わせすることによって、鏡面を見る観察者の目線の位置を、複数の観察機会間で、あるいは、複数の観察者間で一定に揃えることができる。試料台の試料の配置面と鏡面とがなす所定の角度と、位置合わせされた目線の位置とは、一定の関係を有するので、位置合わせされた目線の位置で試料を観察すれば、色の観察において、複数の観察機会間での、あるいは、複数の観察者間での観察角度を精度良く揃えることができる。
【００１０】
［適用例２］更に、前記所定の角度を調節可能な第１の調節手段を備えた適用例１記載の色見台。
【００１１】
かかる構成の色見台によれば、所定の角度を調節することによって、観察角度を変えることができる。したがって、観察者は、所望の観察角度で試料を観察することができる。その結果、利便性が向上する。
【００１２】
［適用例３］更に、前記調節手段によって調節された前記所定の角度に応じて、前記所定の試料に対して観察者の目線が交差する角度である観察角度を把握可能に表示する表示手段を備えた適用例２記載の色見台。
【００１３】
かかる構成の色見台によれば、観察者は、所定の角度を調節した際に、その調節量に応じて定まる観察角度を容易に把握することができる。その結果、利便性が向上する。
【００１４】
［適用例４］前記第２のマークは、前記光源に付された適用例１ないし適用例３のいずれか記載の色見台。
【００１５】
かかる構成の色見台は、第２のマークが光源に付されているので、構成が簡単である。したがって、色見台の製造が簡単である。また、観察者も色見台を扱いやすく、利便性が向上する。
【００１６】
［適用例５］更に、前記光源から前記鏡面に至る光路上に設けられ、前記光源から前記鏡面に至る前記光の光量を低減する光量低減手段を備えた適用例１ないし適用例４のいずれか記載の色見台。
【００１７】
かかる構成の色見台によれば、鏡面に照射される光量を低減することができる。したがって、観察者が試料を観察している際に、光源の光が鏡面を反射して、観察者の視界に入ることを抑制することができる。その結果、観察者は、試料の色の観察をより正確に行うことができる。
【００１８】
［適用例６］適用例１ないし適用例５のいずれか記載の色見台であって、前記ミラーは、前記色見台の筐体と別体で構成され、更に、前記ミラーを前記色見台の予め定められた位置に設置するための位置決め手段を備えた色見台。
【００１９】
かかる構成の色見台によれば、観察角度を揃える必要がない場合には、ミラーを設置しなくてもよい。ミラーを設置しなければ、試料を配置するスペースを広く確保することができるので、利便性が向上する。また、ミラーの設置位置を予め、光源の光が試料台および鏡面に向かう光路方向と直交する方向において、第１のマークと第２のマークとが重なり合うように定めておけば、観察者は、当該方向について、ミラーの位置決めを行う必要がない。
【００２０】
［適用例７］更に、前記光源の光が前記試料台および前記鏡面に向かう光路方向に対する前記試料台の配置面の傾きを調節可能な第２の調節手段を備えた適用例１ないし適用例６のいずれか記載の色見台。
【００２１】
かかる構成の色見台によれば、配置面の傾きを調節することによって、試料に対する光の照射角度を変えることができる。したがって、観察者は、所望の照射角度で試料を観察することができる。
【００２２】
本発明は、上述した色見台のほか、適用例８の色見台の補助道具セットとしても実現することができる。
［適用例８］所定の試料の色を観察するための色見台の補助道具セットであって、鏡面を備えるとともに、該鏡面に第１のマークを備えたミラーと、前記色見台の光源に貼り付けるための第２のマークを備えたシートとを備え、前記鏡面は、前記ミラーを前記色見台に配置した状態において、前記所定の試料を配置する試料台における該所定の試料の配置面に対して所定の角度の傾きを有することが可能に構成された色見台の補助道具セット。
【００２３】
かかる色見台の補助道具セットを既存の色見台に用いれば、適用例１の色見台と同様の作用効果を奏することができる。つまり、観察者が従前から所有している既存の色見台を活用することができ、省資源化に資する。
【００２４】
また、本発明は、適用例９の色観察方法としても実現することができる。
［適用例９］人が所定の試料の色を観察する色観察方法であって、前記所定の試料と、前記所定の試料の配置面に対して所定の角度の傾きを有する鏡面を備えるとともに、該鏡面に第１のマークを備えたミラーとを、前記所定の角度の傾きと交わる方向に並べて配置し、前記所定の試料を照射する光源の光が前記鏡面に至る光路上に設けられた第２のマークが、前記光源によって前記鏡面上に映し出された像と、前記第１のマークとが所定箇所で重なる目線の位置を特定し、前記特定した目線の位置から、前記所定の試料の色を観察する色観察方法。
【図面の簡単な説明】
【００２５】
【図１】本発明の色見台の実施例としての色見台２０の概略構成を示す説明図である。
【図２】色見台２０の使用時の外観を示す説明図である。
【図３】光源４０の外観を示す説明図である。
【図４】光源４０、鏡面６２および試料台５１，５２の位置関係を示す説明図である。
【図５】第１のマーク６３と第２のマーク４１との位置合わせの説明図である。
【図６】ミラー６０における鏡面６２の傾斜角度φの調節方法を示す説明図である。
【図７】ミラー６０における鏡面６２の傾斜角度φの調節方法を示す説明図である。
【図８】変形例としての色見台１２０の概略構成を示す説明図である。
【図９】変形例としての色見台２２０の概略構成を示す説明図である。
【発明を実施するための形態】
【００２６】
Ａ．実施例：
本発明の実施例について説明する。
Ａ−１．装置構成：
本発明の色見台の実施例としての色見台２０の概略構成を図１に示す。色見台２０は、観察者が所定の試料の色を観察するための装置である。本実施例の色見台２０は、机上に設置して使用される。本実施例では、試料として、印刷物の色の観察を行うものとして説明する。図示するように、色見台２０は、筐体３０と、光源４０と、試料台５１，５２と、ミラー６０とを備えている。
【００２７】
筐体３０は、略直方体のボックス形状を有しており、平行に対向する底面３１および天井面３２と、平行に対向する側面３３，３４と、側面３３，３４に直交する側面３５とを有している。側面３５と対向する側は、開口しており、開口部３６が形成されている。観察者は、この開口部３６から試料の色の観察を行う。なお、側面３３〜３５は、外部からの光が筐体３０の内部に入射することを抑制するために設けるものであり、必須ではない。例えば、筐体３０は、側面として、側面３５のみを備えていてもよい。
【００２８】
筐体３０の底面３１の両脇には、試料台５１，５２が固定的に設けられている。この試料台５１，５２には、色の観察対象となる試料が配置される。底面３１のうちの試料台５１，５２が設けられていない中央部には、所定のサイズで孔部３７，３８が形成されている。
【００２９】
また、筐体３０の天井面３２側には、光源４０が天井面３２に固定されて設けられている。この光源４０は、底面３１の側、つまり、試料台５１，５２の側に光を照射する。光源４０の光が直接的に底面３１（試料台５１，５２）の側に向かう光路方向を光路方向ＬＤともいう。本実施例では、光源４０は蛍光管である。この光源４０は、天井面３２の中央部に、試料台５１と試料台５２とが並ぶ方向の幅のほぼ全体に亘って設けられている。本実施例では、光源４０の底面３１側の面である下面４０ａは、平坦形状を有している。この光源４０の下面４０ａは、第２のマーク４１を備えている。第２のマーク４１の詳細については後述する。なお、光源の種類は、特に限定するものではなく、例えば、ＬＥＤなどを用いてもよい。
【００３０】
ミラー６０は、支持台６１と、鏡面６２と、第１のマーク６３と、突起部６４，６５とを備えている。支持台６１は、略直方体の形状を有しており、その上端側で鏡面６２を支持する。鏡面６２は、入射された光を正反射させる。鏡面６２は、試料台５１，試料台５２の試料の配置面、つまり、上面に対して、傾斜角度φ（０°＜φ＜４５°）の傾きを有している。この傾斜角度φは、請求項の所定の角度に該当する。詳しくは後述するが、この傾斜角度φは可変に調節可能となっている。本実施例では、鏡面６２は、円形に形成されているが、鏡面６２の形状は、特に限定するものではなく、例えば、矩形形状であってもよい。鏡面６２の中央部には、第１のマーク６３が形成されている。
【００３１】
第１のマーク６３は、本実施例では、「＋」（プラス）形状を有している。このプラス形状の中心点、つまり、２本の直線形状の交点を、中心点ＣＰ１ともいう。支持台６１は、中心点ＣＰ１の位置で、鏡面６２を支持している。本実施例では、この第１のマーク６３は、鏡面６２の表面がプラス形状に彫り込まれて形成されている。ただし、第１のマーク６３の形態は、特に限定するものではなく、鏡面６２に塗料などで描かれていてもよいし、第１のマーク６３が印刷された透明シートが鏡面６２に貼り付けられていてもよい。この第１のマーク６３と、上述した第２のマーク４１とは、観察者の観察角度を一定に揃えるために用いられる。その使用方法については、後述する。
【００３２】
突起部６４，６５は、支持台６１の鏡面６２と反対の面から、鏡面６２と反対の方向に、相互に平行に円柱形状で突出した部位である。図１では、突起部６５は、鏡面６２の陰に隠れているため、図示されていない。この突起部６４，６５の径は、底面３１に形成された孔部３７，３８の径よりも、わずかに小さく形成されている。この突起部６４，６５を孔部３７，３８に挿入することで、ミラー６０は、筐体３０の予め定められた位置に設置される。つまり、突起部６４，６５と、孔部３７，３８とは、ミラー６０を色見台２０の底面３１に設置する際の、ミラー６０の位置決め手段である。突起部６４，６５と、孔部３７，３８とは、請求項の位置決め手段に該当する。
【００３３】
このようにして、ミラー６０を色見台２０に設置して、試料の色を観察する際の色見台２０の外観を図２に示す。図２は、筐体３０の底面３１にミラー６０が設置され、さらに、試料台５１，５２に試料Ｓ１〜Ｓ３が配置された状態を示している。ミラー６０は、試料台５１，５２の間に配置されている。開口部３６側から見ると、ミラー６０と試料台５１，５２とは、視線方向と直交する方向で重畳しないように並んでいる。つまり、観察者から、ミラー６０の鏡面６２と試料台５１，５２の試料配置面とが同時に完全に見えるように並んでいる。鏡面６２の傾き傾斜角度φは、ミラー６０および試料台５１，５２の並びの方向と交わる（ここでは、直交する）方向の傾きである。
【００３４】
かかる色見台２０において、図１に示すように、試料台５１，５２の高さＨ１は、支持台６１の高さＨ２と同一の高さとなっている。つまり、試料Ｓ１〜Ｓ３が印刷物である場合、その厚みは極めて小さいので、光源４０の光の試料Ｓ１〜Ｓ３の受光面の高さと、支持台６１の高さ、すなわち、第１のマーク６３の中心点ＣＰ１の高さとは、ほぼ同一の高さとなっている。
【００３５】
光源４０の下面４０ａの外観を図３に示す。図示するように、光源４０の平坦な下面４０ａには、第２のマーク４１が付されている。第２のマーク４１は、本実施例では、プラス形状を有している。このプラス形状の中心点を中心点ＣＰ２ともいう。
【００３６】
また、光源４０の下面４０ａには、減光フィルム４２が貼り付けられている。この減光フィルム４２は、可視光の通過光量を抑制する減光フィルタである。つまり、減光フィルム４２は、光源４０から鏡面６２に至る光量を低減する。減光フィルム４２は、請求項の光量低減手段に該当する。この減光フィルム４２は、一方の面に接着剤が塗布されたシールとして形成され、下面４０ａに貼り付けられている。
【００３７】
この減光フィルム４２は、光源４０による減光フィルム４２の投射領域が鏡面６２の全体を含む範囲に設けられている。かかる範囲に減光フィルム４２を付していることによって、観察者が試料を観察している際に、光源４０の光が鏡面６２を反射して観察者の視界に入ることを抑制することができる。その結果、試料Ｓ１〜Ｓ３の発色性を正確に把握することができる。光源４０に採用した蛍光灯の光は、指向性を有していないので、減光フィルム４２は、その投射領域が、鏡面６２よりも大きくなる範囲に設けてもよい。光源４０にＬＥＤを採用した場合には、ＬＥＤの光は指向性を有するので、光源４０の光が鏡面６２を反射して観察者の視界に入ることをさらに抑制することができる。なお、減光フィルム４２に変えて、光源４０を構成するガラス管の所定領域が、減光材を含んで形成されていてもよい。また、減光フィルム４２は、必須ではない。
【００３８】
本実施例では、第２のマーク４１は、減光フィルム４２の表面に印刷されている。つまり、第２のマーク４１と減光フィルム４２とは一体に形成されている。こうすれば、光源４０の製造が容易である。なお、第２のマーク４１は、印刷物に限らず、樹脂などで形成され、光源４０に接着されていてもよい。
【００３９】
色見台２０における光源４０、鏡面６２および試料台５１，５２の位置関係を示す模式図を図４に示す。図示するように、光源４０は、試料台５１，５２の試料配置面と平行に設置されている。このため、光源４０からの入射光ＩＬＴが、試料台５１，５２に配置された試料Ｓ１〜Ｓ３に入射する入射角は０°である。
【００４０】
ここで、光源４０に付された第２のマーク４１の中心点ＣＰ２は、光路方向ＬＤに見て、鏡面６２に付された第１のマーク６３の中心点ＣＰ１と重畳する位置関係を有している。したがって、入射光ＩＬＴが鏡面６２で正反射した反射光ＢＬＴの反射角度で観察者が鏡面６２を見れば、図５（Ａ）に示すように、第２のマーク４１の鏡面６２上の像である第２のマーク４１ａの中心点ＣＰ２ａと、第１のマーク６３の中心点ＣＰ１とが重なって見える。このときの観察者の目線と、試料台５１，５２の配置面との交差角度を観察角度θ（０°＜θ＜９０°）ともいう。
【００４１】
一方、観察者の目線位置が、反射光ＢＬＴの反射角度の位置と異なっていると、第２のマーク４１ａの中心点ＣＰ２ａと第１のマーク６３の中心点ＣＰ１とは重なって見えない。例えば、観察者の目線位置が観察角度θよりも大きい観察角度となる位置になると、図５（Ｂ）に示すように、第２のマーク４１ａの中心点ＣＰ２ａは、第１のマーク６３の中心点ＣＰ１よりも上方に見えることとなる。また、図示は省略するが、観察者の目線位置が観察角度θよりも小さい観察角度となる位置になると、第２のマーク４１ａの中心点ＣＰ２ａは、第１のマーク６３の中心点ＣＰ１よりも下方に見えることとなる。なお、第２のマーク４１ａと第１のマーク６３との位置合わせを行う際には、観察者は、片目で鏡面６２を見ることが望ましい。こうすれば、第２のマーク４１ａと第１のマーク６３とがぶれて見えることがない。
【００４２】
このように、第２のマーク４１ａと第１のマーク６３とを用いて、位置合わせを行うことによって、観察者は、常に、観察角度θで試料台５１，５２に配置された試料Ｓ１〜Ｓ３を観察することができる。
【００４３】
ここで、試料台５１，５２の試料の配置面に対する鏡面６２の傾きである傾斜角度φと、観察角度θとは、一定の関係を有している。具体的には、入射光ＩＬＴと反射光ＢＬＴとがなす角（図中の点Ａ，中心点ＣＰ１、点Ｃがなす角）∠Ａ（ＣＰ１）Ｃは、入射光ＩＬＴの試料台５１，５２に対する入射角が０°であるから、∠Ａ（ＣＰ１）Ｃ＝９０°−θとなる。なお、本願において、点Ｘ，Ｙ，Ｚがなす角（点Ｘ，Ｙを通る直線と、点Ｙ，Ｚを通る直線とがなす角）を∠ＸＹＺともいう。ここで、入射光ＩＬＴと反射光ＢＬＴとは正反射しているから、鏡面６２に直交する垂線ＶＬと反射光ＢＬＴとがなす角∠Ｂ（ＣＰ１）Ｃは、∠Ａ（ＣＰ１）Ｃの半分、すなわち、∠Ｂ（ＣＰ１）Ｃ＝（９０°−θ）／２となる。また、∠Ｂ（ＣＰ１）Ｅ＝９０°であるから、∠Ｂ（ＣＰ１）Ｃ＋∠Ｃ（ＣＰ１）Ｄ＋∠Ｄ（ＣＰ１）Ｅ＝９０°、すなわち、（９０°−θ）／２＋θ＋φ＝９０°となる。この式から、式（１）に示す観察角度θと傾斜角度φとの関係が導き出される。
θ＝９０°−２φ・・・（１）
【００４４】
以上の説明から明らかなように、傾斜角度φを変えると、その値に応じて観察角度θが一意に定まる。つまり、傾斜角度φを調節すれば、観察角度θを所望の値に調節することができる。このようなことから、本実施例では、上述のとおり、傾斜角度φを可変に調節できるようにミラー６０が構成されている。
【００４５】
ミラー６０の傾斜角度φの調節機構について説明する。ミラー６０の概略構成を図６に示す。図６では、試料台５１から試料台５２に向かう方向からミラー６０を見た様子を示している。図示するように、支持台６１は、摺動部６６と、固定部６７とを備えている。摺動部６６は、鏡面６２を中心点ＣＰ１で固定的に支持している。固定部６７は、摺動部６６を摺動可能に支持している。固定部６７の上面６７ｅは、試料台５１，５２の上面と平行であるから、上面６７ｅと、鏡面６２との傾きは傾斜角度φ（ここでは、φ＝２２．５°）である。ミラー６０は、摺動部６６を固定部６７との間で摺動させることで、中心点ＣＰ１を軸として摺動部６６を回転させて、傾斜角度φを調節可能に構成されている。
【００４６】
具体的には、摺動部６６は、中心点ＣＰ１を中心とする四半円の断面形状を有している。摺動部６６は、この円弧形状の内周側の内径部６６ａと、外周側の外径部６６ｂとで形成されている。外径部６６ｂは、内径部６６ａよりも中心点ＣＰ１の軸方向の厚みが小さく形成されている。外径部６６ｂの鏡面６２と反対側の端部である外径端部６６ｃと、内径部６６ａの鏡面６２と反対側の端部である内径端部６６ｄとは、中心点ＣＰ１を中心とする同心円の円弧形状の断面を有している。
【００４７】
一方、固定部６７の鏡面６２側の端部６７ａは、中心点ＣＰ１を中心とし、端部６６ｄとほぼ同一の半径を有する円弧状に形成されている。端部６７ａの表面には、内部に向けて一部分が削られた溝部６７ｂが形成されている。溝部６７ｂの鏡面６２と反対側の端部は、端部６６ｃの形状に追随した円弧形状の断面を有している。
【００４８】
そして、摺動部６６の外径部６６ｂが固定部６７の溝部６７ｂに収容されることで、摺動部６６の端部６６ｄと、固定部６７の端部６７ａとは、円弧状の断面形状に沿って当接している。その結果、摺動部６６のうちの内径部６６ａのみが露出している。摺動部６６は、端部６６ｄと端部６７ａとの当接面に沿って摺動することができる。摺動部６６を当接面に沿って摺動させると、摺動部６６は、中心点ＣＰ１を軸とした回転運動を行う。その結果、摺動部６６に固定的に支持された鏡面６２は、摺動部６６との位置関係を維持しながら、中心点ＣＰ１を軸として回転する。これにより、傾斜角度φが０°＜φ＜４５°の範囲で可変に調節可能となっている。かかる摺動部６６と固定部６７とを備える支持台６１は、請求項の第１の調節手段に該当する。
【００４９】
内径部６６ａの端部６６ｄには、その円弧形状に沿って目盛６６ｅが付されている。この目盛６６ｅは、観察角度θを表す。目盛６６ｅは、請求項の表示手段に該当する。本実施例では、目盛６６ｅは、０°〜９０°の間を５°刻みで構成されている。また、固定部６７の端部６７ａには、観察角度θを特定するためのマーク６７ｃが付されている。観察者は、摺動部６６を摺動させて、マーク６７ｃの位置に目盛６６ｅの任意の位置を合わせることによって、観察角度θを設定することができる。つまり、マーク６７ｃが指し示す目盛６６ｅの観察角度θの値と、そのときの摺動部６６の位置における傾斜角度φとの関係が上記の式（１）を満たすように、目盛６６ｅは表示されている。図６では、観察角度θが４５°、傾斜角度φが２２．５°となるように、摺動部６６の位置が調節されている。
【００５０】
外径部６６ｂが収容された固定部６７の所定位置には、ねじ孔６７ｄが形成されている。観察者は、この孔６７ｄに固定ピンを挿入し、固定ピンを外径部６６ｂに押し当てることで、マーク６７ｃが指し示す目盛６６ｅの観察角度θの位置に摺動部６６を固定することができる。
【００５１】
かかるミラー６０について、観察角度θを１５°に調節した状態を図７に示す。図示するように、図６の状態から、傾斜角度φが増加する方向に摺動部６６が移動されたことによって、マーク６７ｃは、観察角度θが１５°を指し示している。このとき、傾斜角度φは、３７．５°となり、観察角度θと傾斜角度φとは上記の式（１）を満たしている。
【００５２】
以上説明した色見台２０によれば、観察者は、鏡面６２を見ながら目線を移動させて、鏡面６２上の第１のマーク６３と、鏡面６２に映し出された第２のマーク４１ａとが所定箇所で重なるように位置合わせすることによって、鏡面６２を見る観察者の目線の位置を一定に揃えることができる。試料台５１，５２の試料Ｓ１〜Ｓ３の配置面と、鏡面６２とは、傾斜角度φの角度をなしている。傾斜角度φと、位置合わせされた目線の位置とは、一定の関係を有するので、位置合わせを行った目線の位置で試料Ｓ１〜Ｓ３を観察すれば、試料Ｓ１〜Ｓ３を観察する際の観察角度θを、複数の観察機会間で、あるいは、複数の観察者間で精度良く一定に揃えることができる。仮に、複数の観察者間の身長差が大きかったとしても、身長差に起因して、観察者間で観察角度θがずれることもない。
【００５３】
なお、ミラー６０と試料台５１，５２とは、横に並んでいるので、観察者がミラー６０を見る目線と、試料台５１，試料台５２に配置された試料Ｓ１〜Ｓ３とを見る目線とでは、厳密には、観察角度θに若干のずれが生じる。しかし、観察者がミラー６０を用いて目線を観察角度θに調節した後に、その目線の高さを維持したまま、目線の位置を試料Ｓ１〜Ｓ３の正面まで横にずらして、試料Ｓ１〜Ｓ３を観察すれば、この問題は解消される。もとより、ミラー６０の近傍に試料Ｓ１〜Ｓ３を配置すれば、観察角度θのずれは極めて小さいので、試料の目視確認を行う上では、問題とはならない。
【００５４】
また、色見台２０によれば、傾斜角度φと観察角度θとは一定の関係を有するので、ミラー６０の摺動部６６を移動させて、傾斜角度φを調節することによって、観察角度θを変えることができる。したがって、観察者は、所望の観察角度θで試料Ｓ１〜Ｓ３を観察することができる。しかも、傾斜角度φを調節する際に、観察者は、調節した傾斜角度φに対応する観察角度θの値を目盛６６ｅによって容易に把握することができる。かかる構成によって、試料としての印刷媒体の種類、例えば、メタリックカラーによる印刷物やパールカラーの印刷物、光沢を有しないカラーの印刷物などに応じて、所望の観察角度θで試料を容易に観察することができる。
【００５５】
また、色見台２０は、第２のマーク４１が光源４０に付されているので、構成が簡単である。したがって、色見台２０の製造が簡単である。また、観察者も色見台２０を扱いやすく、利便性が向上する。
【００５６】
また、色見台２０によれば、ミラー６０を色見台２０から取り外すことができる。つまり、観察角度θを揃える必要がない場合には、ミラー６０を設置しなくてもよい。ミラー６０を設置しなければ、試料を配置するスペースを広く確保することができるので、利便性が向上する。
【００５７】
また、ミラー６０は、位置決め手段としての突起部６４，６５を孔部３７，３８に挿入して、色見台２０を予め定めた位置に設置できる。このため、ミラー６０が色見台２０に設置された際に、ミラー６０と光源４０との位置関係を常に一定に保つことができる。このミラー６０の設置位置は、光路方向ＬＤと直交する方向において、第１のマーク６３の中心点ＣＰ１と、第２のマーク４１のＣＰ２とが重なり合う位置である。このため、どのような目線の高さから観察者がミラー６０を見ても、第１のマーク６３の中心点ＣＰ１と、鏡面６２に映し出された第２のマーク４１ａの中心点ＣＰ２ａとが、横方向にずれることはない。したがって、観察者は、光路方向ＬＤのみに目線を移動させて、観察角度θを揃えればよい。一方、ミラー６０の位置決め手段を有していない場合には、観察者は、ミラー６０を見ながら、ミラー６０を種々の方向に移動させて、中心点ＣＰ２の直下に中心点ＣＰ１が位置する上記のミラー６０の設置位置を探してミラー６０の位置決めを行う必要がある。
【００５８】
Ｂ．変形例：
上述の実施形態の変形例について説明する。
Ｂ−１．変形例１：
変形例としての色見台１２０の構成を図８に示す。図８の説明において、実施例（図１）と同一の点については説明を省略し、実施例と異なる点についてのみ説明する。また、図８において、実施例（図１）と同一の構成については、図１と同一の符号を付している。実施例においては、試料台５１，５２は、筐体３０に固定されて設けられていたが、本変形例では、試料台１５１，１５２は、筐体１３０と別体に設けられている点が実施例と異なる。他の点については、実施例と同様である。ユーザは、筐体１３０の底面１３１の所望の位置に試料台１５１，１５２を配置し、さらに、試料Ｓ１，Ｓ２を配置することができる。このようにすれば、観察角度θを揃える必要がない場合には、ミラー６０および試料台１５１，１５２を取り除いて、平坦な底面１３１に試料を配置することができる。その結果、ユーザの利便性が向上する。
【００５９】
もとより、観察角度θを揃える必要がある場合においても、試料台１５１，１５２は必ずしも必要ではない。つまり、底面１３１を試料台として利用してもよい。かかる場合には、ミラー６０の支持台６１の高さＨ２の分だけ、ミラー６０を見る観察者の目線と、試料Ｓ１，Ｓ２を見る目線とでは、観察角度θにずれが生じることとなる。しかし、観察者の視線元（目の位置）からミラー６０までの距離が十分に大きければ、あるいは、高さＨ２が十分に小さければ、観察角度θのずれは、極めて小さいので、試料の目視観察において問題となるレベルとはならない。例えば、観察者の視線元から中心点ＣＰ１までの距離が１ｍであり、Ｈ２が５ｃｍである場合に、ミラー６０を用いて観察角度θ＝４５°となるように視線を設定したときには、試料Ｓ１，Ｓ２を見る際の観察角度θ＝４７°となり、そのずれは僅か２°である。
【００６０】
Ｂ−２．変形例２：
上述の実施形態においては、第１のマーク６３および第２のマーク４１は、プラス（＋）形状としたが、これらの位置合わせ用のマークの形状は、特に限定するものではない。例えば、「×」形状であってもよいし、「○」形状であってもよい。ただし、「＋」や「×」のように、重畳する箇所が点で特定できる形状とすれば、位置合わせの精度が向上するので望ましい。
【００６１】
Ｂ−３．変形例３：
上述の実施形態においては、試料台５１，５２の試料配置面は、光路方向ＬＤに対して直交する位置関係で設けられていたが、試料台５１，５２の試料配置面と、光路方向ＬＤとの交差角度は、９０°に限られない。例えば、光源４０を交差角度が４５°となる位置に設置すれば、入射角４５°の条件で試料を観察することができる。あるいは、光源４０の位置が移動する機構を採用してもよい。例えば、光源４０の移動方向と直交する方向にシャフトを設け、光源４０がモーターによって、シャフトに沿って摺動する構成としてもよい。こうしても、入射角度を調節することができる。
【００６２】
また、色見台２０は、底面３１の傾きを調節可能な調節手段を備えていてもよい。例えば、底面３１と側面３５とが交わるラインを軸として、ミラー６０と同様の機構によって、底面３１の傾きを調節可能に構成してもよい。勿論、歯車機構やモーターなどを用いて傾きを調節可能にしてもよい。こうしても、観察者は、観察角度θのほかに、観察条件としての入射角度についても所望の値に調節することができる。あるいは、変形例１のように、試料台１５１，１５２を筐体１３０と別体に用意する場合には、試料の配置面の傾きが異なる複数の試料台を用意してもよい。
【００６３】
かかる場合、底面３１の傾きによって、観察角度θと傾斜角度φとの関係が変わることとなる。したがって、目盛６６ｅに対応する観察角度θの値や、目盛６６ｅのピッチを複数の底面３１の傾きの各々と対応付けて、並列的に表示する態様としてもよい。あるいは、複数の底面３１の傾きに応じて使用する複数のミラー６０を用意してもよい。この場合、各々のミラー６０には、底面３１の傾きに対応させて、観察角度θの値や目盛りピッチが異なる目盛６６ｅを表示すればよい。
【００６４】
Ｂ−４．変形例４：
上述の実施形態においては、試料台５１，５２は、重力方向の下部に設けられたが、この限りではない。変形例としての色見台２２０の構成を図９に示す。図９の説明において、実施例（図１）と同一の点については説明を省略し、実施例と異なる点についてのみ説明する。また、図９において、実施例（図１）と同一の構成については、図１と同一の符号を付している。図示するように、色見台２２０では、スタンド２３５ａ，２３５ｂによって床面に支持される側面２３５が試料台として用いられる。試料Ｓ１，Ｓ２は、マグネットＭＧ１，ＭＧ２によって、側面２３５上に固定されている。また、ミラー２６０も、支持部の底面に設けられたマグネット（図示省略）によって、側面２３５上に固定されている。こうしても、実施例と同様の効果を奏する。また、光源４０の設置箇所も天井面３２に限るものではない。例えば、図１において、側面３３側に光源４０を設け、それと対向する側面３４を試料台としてもよい。
【００６５】
Ｂ−５．変形例５：
上述の実施形態において、突起部６４，６５と孔部３７，３８とによって、つまり、相互に嵌り合う凹凸形状によってミラー６０の設置位置を一定に確保したが、ミラー６０の位置決め手段は、かかる形状に限られるものではない。例えば、位置決め手段は、支持台６１の設置位置を表示したマーキングであってもよい。あるいは、底面３１と支持台６１とが磁石を備える構成としてもよい。なお、位置決め手段は、必須の構成ではない。
【００６６】
Ｂ−６．変形例６：
上述の実施形態においては、光源４０の光が直接的に試料台５１，５２およびミラー６０の側を照射する構成としたが、光は、反射させて、あるいは、屈折させて、試料台５１，５２およびミラー６０の側に照射してもよい。
【００６７】
Ｂ−７．変形例７：
上述の実施形態においては、第２のマーク４１は、光源４０に設けられていたが、かかる態様に限られるものではない。第２のマーク４１は、光源４０から鏡面６２に向かう光路上に設けられていればよい。例えば、第２のマーク４１は、支持部材によって、筐体３０に固定されていてもよい。減光フィルム４２などの光量低減手段についても同様である。
【００６８】
Ｂ−８．変形例８：
上述の実施形態においては、傾斜角度φを変化させた場合の、その傾斜角度φの値に対応する観察角度θの値を、目盛６６ｅとして表示させたが、観察角度θの表示手段は、かかる構成に限られるものではない。例えば、鏡面６２の傾きを検出するフォトセンサや加速度センサをミラー６０に設け、さらに、液晶式などのディスプレイを筐体３０に設け、その検出値に応じた観察角度θの値を演算回路などで算出して、ディスプレイに表示してもよい。かかる場合、突起部６４，６５は、筐体３０との電気的な接続の役割を担ってもよい。
【００６９】
Ｂ−９．変形例９：
第２のマーク４１が付された減光フィルム４２と、ミラー６０とは、色見台の補助道具セットとしても使用することができる。つまり、第２のマーク４１とミラー６０とを備えていない既存の色見台に対しても、当該補助道具セットを用いれば、観察角度θを揃えて色の観察を行うことができる。こうすれば、観察者は、従前から所有している既存の色見台を買い換える必要がないので、省資源化に資する。なお、ミラー６０は、既存の色見台に設置するためには、突起部６４，６５を備えない構成とすればよい。また、減光フィルム４２は、減光機能を有していなくてもよい。つまり、減光フィルム４２に代えて、単に第２のマーク４１が付されたシートとしてもよい。
【００７０】
以上、本発明の実施形態について説明したが、上述した実施形態における構成要素のうち、独立クレームに記載された要素に対応する要素以外の要素は、付加的な要素であり、適宜省略、または、組み合わせが可能である。また、本発明はこうした実施形態に限られるものではなく、本発明の要旨を脱しない範囲において、種々なる態様で実施できることは勿論である。例えば、本発明は、色見台としてのほか、色の観察方法等としても実現することができる。
【符号の説明】
【００７１】
２０，１２０，２２０…色見台
３０，１３０，２３０…筐体
３１，１３１…底面
３２…天井面
３３〜３５，２３５…側面
２３５ａ，２３５ｂ…スタンド
３６…開口部
３７，３８…孔部
４０…光源
４０ａ…下面
４１，４１ａ…第２のマーク
４２…減光フィルム
５１，５２，１５１…試料台
６０，２６０…ミラー
６１…支持台
６２…鏡面
６３…第１のマーク
６４，６５…突起部
６６…摺動部
６６ａ…内径部
６６ｂ…外径部
６６ｃ…外径端部
６６ｄ…内径端部
６６ｅ…目盛
６７…固定部
６７ａ…端部
６７ｂ…溝部
６７ｃ…マーク
６７ｄ…ねじ孔
６７ｅ…上面
ＬＤ…光路方向
Ｓ１〜Ｓ３…試料
ＣＰ１，ＣＰ２，ＣＰ２ａ…中心点
ＩＬＴ…入射光
ＢＬＴ…反射光
ＶＬ…垂線
ＭＧ１，ＭＧ２…マグネット
【図１】
2012211841.tif 000003
【図２】
2012211841.tif 000004
【図３】
2012211841.tif 000005
【図４】
2012211841.tif 000006
【図５】
2012211841.tif 000007
【図６】
2012211841.tif 000008
【図７】
2012211841.tif 000009
【図８】
2012211841.tif 000010
【図９】
2012211841.tif 000011